(57)【要約】【課題】  湿疹、火傷などの患部の処置面積を測定して、診療報酬の点数を簡易に算出する折尺を提供すること。【解決手段】  長い短尺1a、1bの下側に短い短尺2a、2bを重ねて一端部を第２枢着部12a、12bで連結したものを２組作り、２つの長い短尺1a、1bの他端部同士を第１枢着部11で連結した折尺であって、２つの長い短尺1a、1bをほぼ直角に曲げた交点Ｇを基準“０”にして、各短尺の一側面に目盛り４を刻設するとともに、他の側面に処置料の診療報酬の点数の段階に合わせた目印部３を併記したものである。【選択図】      図１
2008281451.tif 000002
【特許請求の範囲】
【請求項１】
長い短尺の下側に短い短尺を重ねて一端部を第２枢着部で連結したものを２組作り、２つの長い短尺の他端部同士を第１枢着部で連結した折尺であって、
２つの長い短尺をほぼ直角に曲げた交点を基準にして、各短尺の一側面に目盛りを刻設するとともに、他の側面に処置料の診療報酬の点数の段階に合わせた目印部を併記したことを特徴とする診療報酬算定用折尺。
【発明の詳細な説明】
【技術分野】
【０００１】
この発明は、湿疹、火傷などの患部の処置面積を測定して、診療報酬の点数を簡易に算出する折尺に関する。
【０００２】
平成１８年４月の診療報酬点数改訂において、診療報酬の請求点数の基準となる患部の処置範囲について、従来の「半肢、一肢、二肢」という表記から「平方センチメートル」と患部の面積に変更された。
【０００３】
湿疹、火傷などの処置料を請求するための診療報酬の点数は、創傷処置も熱傷処置も面積に応じて点数が異なり、その基準は、
創傷処置の場合は、
１：１００ｃｍ2未満                            ４５点
２：１００ｃｍ2以上５００ｃｍ2未満             ４９点
３：５００ｃｍ2以上３,０００ｃｍ2未満          ７５点
４：３,０００ｃｍ2以上６,０００ｃｍ2未満     １４０点
５：６,０００ｃｍ2以上                       ２５０点
の５段階である。
【０００４】
熱傷処置の場合は、
１：１００ｃｍ2未満                          １３５点
２：１００ｃｍ2以上５００ｃｍ2未満           １４７点
３：５００ｃｍ2以上３,０００ｃｍ2未満        ２２５点
４：３,０００ｃｍ2以上６,０００ｃｍ2未満     ４２０点
５：６,０００ｃｍ2以上                    １,２５０点
の５段階である。
【０００５】
患部の処置に当たる医師は、一般的に使用されている目盛り付きの定規や巻尺を用いて、直交する２方向から処置をする患部の長さを測定し、処置を施すべき面積、包帯等で被覆すべき患部の面積を算出していた。そして患部の面積を算出した後、点数表を参照して診療報酬の点数を求めていた。
【０００６】
分野は異なるが、自動車の板金等の修理において、補修面積を測定して料金を算出する定規として下記の特許文献が知られている。
【特許文献１】特開２００２−０９０１０４号公報
【発明の開示】
【発明が解決しようとする課題】
【０００７】
上記特許文献１に開示された補修面積測定定規は、同じ楕円形の窓を有する２枚のシートからなり、２枚のシートをずらせて楕円形の窓の形状を変化させ、窓の形状が補修部分の形状に近似した状態における２枚のシートの相対的な位置関係より、テーブルを参照して面積を求めるものであり、取扱いが複雑である。
【０００８】
また、一つの定規や巻尺によっては、一度に一方向しか測れないので、測定に時間がかかり、長さが分かっても暗算で面積を算出し、点数表を参照して診療報酬の点数を求めることになるので、最終的に診療報酬の点数を把握するのが面倒であった。仮に、点数表を暗記していても、例えば、５００ｃｍ2といっても、何ｃｍ×何ｃｍであるかを直ちに把握することは難しい。また、おおよその面積では、処置伝票作成時に再度確認する必要があった。
【０００９】
そこで、この発明の診療報酬算定用折尺は、面積と診療報酬の点数を直ちに把握できる折尺を提供することを目的として考えられたものである。
【課題を解決するための手段】
【００１０】
この発明の診療報酬算定用折尺は、長い短尺の下側に短い短尺を重ねて一端部を第２枢着部で連結したものを２組作り、２つの長い短尺の他端部同士を第１枢着部で連結した折尺であって、２つの長い短尺をほぼ直角に曲げた交点を基準にして、各短尺の一側面に目盛りを刻設するとともに、他の側面に処置料の診療報酬の点数の段階に合わせた目印部を併記したものである。
【発明の効果】
【００１１】
この発明に係る診療報酬算定用折尺は、皮膚の患部の面積に合わせて治療する面積を検出するとともに、この検出された面積に対応した診療報酬の点数が表示されているので、処置現場において即座に診療報酬の点数を把握することができる。
【００１２】
処置の算定が面積表示へ移行したことへの理解が現場担当者に広められ、医師の負担が軽減し、より正確な測定が可能になった。処置伝票の作成がスムーズになった。
【発明を実施するための最良の形態】
【００１３】
以下、この発明に係る診療報酬算定用折尺の実施形態を図面に基づいて説明する。
【００１４】
この発明の診療報酬算定用折尺は、図１に示すように、中央の長い２枚の短尺1a、1bと、両端の短い２枚の短尺2a、2bとの４枚の短尺よりなり、４枚の各短尺1a、1b、2a、2bの端部同士を回動自在に第１枢着部11および第１枢着部12a、12bで連結して折り畳み自在な折尺としたものあって、第１枢着部11の両側は、一直線にしたとき対称な形状である。
【００１５】
図２に折り畳んだ状態を示すように、４枚の各短尺1a、1b、2a、2bの連結は、長い短尺1aの下側に短い短尺2aを重ねて第２枢着部12aで連結し、長い短尺1aの下側に長い短尺1bを重ねて第１枢着部11で連結し、長い短尺1bの下側に短い短尺2bを重ねて第２枢着部12bで連結する。
【００１６】
４枚の各短尺1a、1b、2a、2bは、厚紙にラミネート加工を施して撥水性を付与したもの、またはプラスチックの薄板を細長い定規の形に裁断して消毒可能としたものである。
【００１７】
長い短尺1a、1bの長さは、出現頻度が高い第２段階の２２.３ｃｍ（５００cm2の平方根）まで測定できるように約３０ｃｍとし、長い短尺1a、1bと短い短尺2a、2bとの和の長さは、第３段階の５４.７ｃｍ（３０００cm2の平方根）まで測定できるように５５ｃｍ程度とする。したがって、短い短尺2a、2bのみの長さは、約２５ｃｍである。
【００１８】
長い短尺1a、1bを直角に曲げた状態で、長い短尺同士の枢着部11における一辺側の交点Ｇを基準“０”として、各短尺1a、1b、2a、2bの一側面に１ｃｍ間隔の目盛り４を刻設するとともに、他の側面に処置料の診療報酬の点数の段階に合わせた色違いの目印部３を併記する。なお、枢着部12a、12bで重なり合う各短尺1a、1b、2a、2bの端部には、目盛り４および目印部３は、同じものを重複して表記する。
【００１９】
なお、長い短尺1a、1bは、直角に曲げた状態で使用するものであって、一辺側の交点Ｇを基準“０”として目盛り４を付しているので、長い短尺1a、1bを一直線にした場合には、目盛り４は連続性を有しない。
【００２０】
目印部３は、図示した数値表示に限ることはなく、０〜１０ｃｍの範囲に第１段階に該当する「１００cm2未満（４５点）」と黄色で表記し、１０〜２２.３ｃｍの範囲に第２段階に該当する「１００〜５００cm2未満（４９点）」と赤色で表記し、２２.３〜５４.７ｃｍの範囲に第３段階に該当する「５００〜３０００cm2未満（７５点）」と青色で表記することができる。
【００２１】
次に、このように構成された診療報酬算定用折尺の使用例を図３に基づいて説明する。まず、図３に示すように、患部５の面積が小さい場合には、短い短尺2a、2bを長い短尺1a、1bの下側に重ね、長い短尺1a、1bを枢着部11で直角に曲げて患部５に合わせて長い短尺1a、1bのみで患部の面積を測定する。このとき、短い短尺2a、2bは、長い短尺1a、1bの下側に重なっているので、長い短尺1a、1bの目盛り４や目印部３を覆うことはない。目盛り４によって直交する２方向の長さより処置面積が「Ｘcm×Ｙcm」とすぐに分かり、併記された目印部３によってその処置面積が、いずれの段階の診療報酬の点数に該当するのかを直ちに把握することができる。
【００２２】
患部の面積が大きい場合には、短い短尺2a、2bおよび長い短尺1a、1bを一直線に伸ばして患部に合わせて短い短尺2a、2bを併用して患部の面積を測定する。
【００２３】
患部の形状が正方形に近似していれば、面積を算出せずとも折尺の目印部３により診療報酬の点数を直ちに把握できる。患部の形状が正方形でなく形状が多様であるので、目盛り４で得た２方向の寸法より面積を暗算で算出し、目印部３から診療点数を求めることができる。
【図面の簡単な説明】
【００２４】
【図１】この発明に係る診療報酬算定用折尺を示す平面図、
【図２】この発明に係る折尺を折り畳んだ状態を示す側面図、
【図３】この発明に係る折尺の使用状態を示す平面図である。
【符号の説明】
【００２５】
1a、1b  長い短尺
2a、2b  短い短尺
３  目印部
４  目盛り
５  患部
【図１】
2008281451.tif 000003
【図２】
2008281451.tif 000004
【図３】
2008281451.tif 000005